(57)【要約】【課題】掴み機構がコンパクトに納まり、なおかつ、テーパースラブを確実に吊り上げ、搬送することができる吊具トングの先端に取り付けられる掴み爪を提案する。【解決手段】トング先端に取り付けられる吊具トングの掴み爪を、トングレバーの先端内側へ取り付けられる爪本体、該爪本体に回動可能に取り付けられる回動爪ホルダー、及び該回動爪ホルダーと前記爪本体との間に介在する一対のばねを有する回動爪ホルダー正常位復帰機構により構成する。【選択図】          図１
2004256198.tif 000002
【特許請求の範囲】
【請求項１】
トングレバーの先端内側へ取り付けられる爪本体、
該爪本体に回動可能に取り付けられる回動爪ホルダー、及び
該回動爪ホルダーと前記爪本体との間に介在する一対のばねを有する回動爪ホルダー正常位復帰機構、
とからなる吊具トングの掴み爪。
【請求項２】
爪本体は、上板、下板及び中板に分割されており、
該中板にはＶ字状に切り込み溝が設けられて回動爪ホルダーが回動可能に軸支されるようになっており、かつ、
これら上板、下板、中板が通しボルトによって一体に固定されるものである請求項１記載の吊具トングの掴み爪。
【請求項３】
回動爪ホルダーは、平面形状がほぼＶ字状をなし中板より僅かに薄い板状の回動座、
該回動座にほぼ垂直に取りつけられた面板、及び、
該面板上の長さ方向に設けられた先端爪、
とからなる請求項１又は２記載吊具トングの掴み爪。
【請求項４】
回動爪ホルダー正常位復帰機構は、上板又は下板の側方に回動爪ホルダーの回動軸を挟んで所定距離離間して設けられた一対のばね取り付け部、
上記一対のばね取り付け部に対応して回動爪ホルダーの面板に設けられたばね受け突起、及び、
前記ばね取り付け部に取り付けられ、前記ばね受け突起を押圧する一対のばねとからなるものである請求項１、２又は３記載吊具トングの掴み爪。
【発明の詳細な説明】
【０００１】
【産業上の利用分野】
本発明は、重量物、たとえば連続鋳造スラブを吊り上げるときに用いられる吊具トング先端に取り付けられる吊具トングの掴み爪に係り、特に連続鋳造スラブがいわゆるテーパースラブであっても確実に掴むことができる吊具トングの掴み爪に関する。
【０００２】
【従来の技術】
スラブを連続鋳造すると、長手方向の幅が一定のストレートスラブのほか、スラブ幅の変更の際に生ずるいわゆるテーパースラブが発生する。このようなスラブは、図６に示すリフタートングと称される吊具１を用いて搬送される。その際、ストレートスラブにはトングレバー２の先端に取り付けた掴み爪６がスラブ３の側面に均一に係合することによってスラブ３の吊り上げ・搬送ができる。しかし、テーパースラブを吊り上げ、搬送しようとすると、掴み爪６の端の部分のみがスラブに係合する片当たりとなり、吊り上げ・搬送の確実性、安全性が確保できない。また、かかる場合にはトングレバー２にねじれが生じ、それに連結されている掴み機構４や幅調整機構５に無理が生じ、これらの早期破損を招ねく。
【０００３】
このような問題を解決するために、特許文献１には、開閉可能な一対のトングレバーと、トングレバーに回動可能に取著され、スラブに係脱可能に係合する爪とよりなり、爪でスラブを着脱可能に掴持する吊具の掴み機構において、トングレバーの両側より突設されて爪の両側に延びるアームと、アームと爪とをそれぞれ連結する爪復元用のコイルバネとよりなる掴み機構が提案されている。
【０００４】
【特許文献１】
特許第２６６２２９２号公報
【０００５】
【発明が解決しようとする課題】
上記特許文献１に記載の手段によって、テーパースラブを確実に吊り上げ、搬送することができる。また、それによりトングレバーにねじれが生たり、それに連結されている掴み機構や幅調整機構に無理が生ずることも避けられる。しかしながら、上記提案では、爪がトングレバーの両側から延びるアームによって連結されているために、吊具の掴み機構が大きくなり、スラブの吊り上げ・搬送に当たり、建屋の柱や周囲に設置されている設備類に当たることがあり、吊具自体の他、周囲の設備類の破損・損壊を招くおそれがある。
【０００６】
本発明は、上記従来の技術に係る問題点を解決することを課題とし、掴み機構がコンパクトに納まり、なおかつ、テーパースラブを確実に吊り上げ、搬送することができる吊具トングの先端に取り付けられる掴み爪を提案することを目的とする。
【０００７】
【課題を解決するための手段】
本発明に係るトング先端に取り付けられる吊具トングの掴み爪は、トングレバーの先端内側へ取り付けられる爪本体、該爪本体に回動可能に取り付けられる回動爪ホルダー、及び該回動爪ホルダーと前記爪本体との間に介在する一対のばねを有する回動爪ホルダー正常位復帰機構からなる。
【０００８】
上記発明において、前記爪本体は、上板、下板及び中板に分割され、該中板にはＶ字状に切り込み溝が設けられて回動爪ホルダーが回動可能に軸支されるようになっており、かつ、これら上板、下板、中板が通しボルトによって一体に固定されるものとするのがよい。
【０００９】
また、前記回動爪ホルダーは、平面形状がほぼＶ字状をなし中板よりやや薄い板状の回動座、該回動座にほぼ垂直に取りつけられた面板、及び該面板上の長さ方向に設けられた先端爪からなるものとするのがよい。
【００１０】
さらに上記回動爪ホルダー正常位復帰機構は、上板又は下板の側方に回動爪ホルダーの回動軸を挟んで所定距離離間して設けられた一対のばね取り付け部、上記一対のばね取り付け部に対応して回動爪ホルダーの面板に設けられたばね受け突起、及び前記ばね取り付け部に取り付けられ、前記ばね受け突起を押圧する一対のばねによって構成されるものとして構成するのが好ましい。
【００１１】
【発明の実施の形態】
本発明は、図６に示すトングリフターの他、スラブリフター、スラブトングのトングレーバー２の先端内側にあってスラブ等に直接食い込む吊具トングの掴み爪６に適用される。その代表的な構造は図１の概念図に示されており、また、それを利用してテーパースラブを掴むときの作動状態は図２、３に示されている。
【００１２】
図１に示すように、本発明の吊具トングの掴み爪６は、トングレバーの先端内側へ取り付けられる爪本体１０と爪本体１０に回動可能に取り付けられる回動爪ホルダー３０及び回動爪ホルダー３０と爪本体１０との間に介在して回動爪ホルダー３０がテーパースラブ３を掴んで傾いたときに正常位に復帰させる一対のばね４１、４２等からなる復帰機構４０からなっている。
【００１３】
爪本体１０は、ほぼブロック状をなしており、そのほぼ中央部に先端がほぼ円弧状になったＶ字状切り込み溝１４が設けられている。一方、回動爪ホルダー３０は、回動座３１と面板３３、先端爪３２等よりなる。回動座３１は、爪本体１０のＶ字溝１４に嵌まり込み、回動軸１５であるピン１６を中心に回動するもので、先端がほぼ円弧状になったＶ字状の板状体である。そのＶ字の開き角度は爪本体のＶ字溝の開き角度よりやや小さい。先端爪３２はスラブを吊上げるときスラブ側面に当たる部分である。これら回動座３１、先端爪３２、面板３３からなる回動爪ホルダー３０の幅は上記爪本体１０のＶ字状切り込み溝１４の幅よりやや小さく、それにより爪本体１０の中で回動可能になっている。
【００１４】
回動爪ホルダー正常位復帰機構４０は、回動爪ホルダー３０の面板３３に取りつけた一対のばね受け突起４５、４６、爪本体に設けた一対のばね取り付け部４３、４４及びばね取り付け部４３、４４から突起４５、４６に向けて延びる一対のばね４１、４２からなる。なお、ばね４１、４２の一端はばね受け突起４５、４６に固定してもよいが、自由端とすることもできる。
【００１５】
このような掴み爪６をトングレバー２の先端に有する吊具１を用いてテーパースラブ３を掴むときには、最初の当接させた状態では、図２に示すように、掴み爪６の爪本体１０も回動爪ホルダー３０もスラブ３の掴み面に対して傾いている。しかし、吊具１の幅調整機構５によってトングレバー２の間隔を調整すると、その押圧力により回動爪ホルダー３０が爪本体１０ピン１６に対してピン１６を中心として回動し、その結果、回動爪ホルダー３０はテーパースラブ３の掴み面に正対することになる。しかし、爪本体１０は元の状態にある。
【００１６】
この状態によりスラブを吊り上げることにより、テーパースラブ３の掴み面に回動爪ホルダー３０が正対することにより回動爪ホルダー３０の先端爪３２が正しくスラブ面に食い込むとともに先端爪３２が片当りすることなく掴み面に当接し、確実かつ安全にスラブを吊り上げ、搬送することができる。一方、掴み爪６の本体１０は、テーパースラブ３に対しては傾いた状態にあるが、トングレバー２の先端に曲げ、ねじりなど外力が作用していない状態に正しく取りつけられた状態にある。したがって、テーパースラブ３を吊り上げ・搬送するときに爪本体１０やトングレバー２さらには吊具の掴み機構４、幅調整機構５等に曲げモーメントやねじりのトルクが掛かることがない。
【００１７】
【実施例】
以下、本発明に係る吊具トングの掴み爪の具体的構成を実施例により説明する。図４は本発明に係る吊具トングの掴み爪の１実施例の組み立て状態を示す斜視図である。前述したとおり、本発明に係る吊具トングは、爪本体１０と爪本体１０に回動可能に取り付けられる回動爪ホルダー３０及び回動爪ホルダー３０と爪本体１０との間に介在して回動爪ホルダー３０がテーパースラブ３を掴んで傾いたときに正常位に復帰させる一対のばね４１、４２等からなる回動爪ホルダー正常位復帰機構４０からなる。
【００１８】
ここに示すように、爪本体１０は上板１１、下板１２及び中板１３に分割されている。中板１３には底部が円弧状になったＶ字状に切り込み溝１４が設けられている。これら上板１１、下板１２、中板１３には共通の通しボルト穴１７、１８が明けられており、また、上板１１、下板１２には、中板１３の切り込み溝１４を通る共通のピン穴１５が明けられている。
【００１９】
回動爪ホルダー３０は、回動座３１と面板３３、先端爪３２などのスラブ接触掴み部分から成り立っている。回動座３１は、ほぼ中板１３の幅より僅かに薄い板状体であり、その平面形状は先端が円弧状になったＶ字状をなしている。面板３３は、回動座３１に対してほぼ垂直に取りつけられている。先端爪３２はこの面板３３上の長さ方向に設けられている。
【００２０】
回動爪ホルダー正常位復帰機構４０は、回動爪ホルダー３０の面板３３に取りつけた一対のばね受け突起４５、４６、爪本体に設けた一対のばね取り付け部４３、４４及び上記ばね取り付け部４３、４４からばね受け突起４５、４６に向けて延びる一対のばね４１、４２からなる。具体的には、ばね取り付け部４３、４４は上板１１に明けたピン穴１５を挟んで所定距離だけ離間して設けられ、そこにばね４１、４２の一端が固定され、一方、回動爪ホルダー３０の面板３３には、上板１１側の側面にばね取り付け部４３、４４と対応するように一対の直方体状のばね受け突起４５、４６が取りつけれら、その上板側の面でばね４１、４２の自由端を受けるようになっている。
【００２１】
したがって、中板１３の切りこみ溝１４の底部に回動爪ホルダー３０の回動座３１の先端を当接させてセットし、この状態で上板１１、下板１２を通し穴１７、１８に通しボルト１９、２０を貫通させてナット２１、２２で絞め込み、さらにピン１６をピン穴に通して固定すれば、本発明の吊具トングの掴み爪が完成する。
【００２２】
【発明の効果】
本発明の吊具トングの掴み爪は、上記のように掴み爪の爪本体に対して回動爪ホルダーを回動可能に取り付けられるとともに、掴み爪自体の中に回動爪ホルダー正常位復帰機構を内蔵させたものであるので、テーパースラブを確実に吊り上げ、搬送することができる。また、掴み機構がコンパクトに納まっているので、スラブの吊り上げ・搬送に当たり、建屋の柱や周囲に設置されている設備類に当たって吊具自体の他、周囲の設備類の破損・損壊を招く危険を回避できる。
【図面の簡単な説明】
【図１】本発明に係る吊具トングの掴み爪の構造概略を示す一部切り欠き正面図である。
【図２】本発明に係る吊具トングの掴み爪によりテーパースラブを掴むときの掴み開始初期の状態を示す一部切り欠き正面図である。
【図３】本発明に係る吊具トングの掴み爪によりテーパースラブを掴んだときの状態を示す一部切り欠き正面図である。
【図４】本発明に係る吊具トングの掴み爪の１実施例の組み立て状態を示す斜視図である。
【図５】回動爪ホルダーの斜視図である。
【図６】本発明の適用される吊具（リフタートング）の概略構造図である。
【符号の説明】
１：吊具
２：トングレバー
３：スラブ
４：掴み機構
５：幅調整機構
６：掴み爪
１０：爪本体
１１：上板
１２：下板
１３：中板
１４：切り込み溝
１５：ピン穴
１６：ピン
１７、１８：通し穴
１９、２０：通しボルト
３０：回動爪ホルダー
３１：回動座
３２：先端爪
３３：面板
４０：回動爪ホルダー正常位復帰機構
４１、４２：ばね
４３、４４：（上板の）ばね取り付け部
４５、４６：（回動爪ホルダーの）ばね受け突起
【図１】
2004256198.tif 000003
【図２】
2004256198.tif 000004
【図３】
2004256198.tif 000005
【図４】
2004256198.tif 000006
【図５】
2004256198.tif 000007
【図６】
2004256198.tif 000008